(57)【要約】  コネクタ収容部材（２）の互いに向き合っている２つの側面部分（４，４′）を有するケージ状に形成されたこのコネクタ収容部材（２）を備え、並びに１つの側面部分（４，４′）に対して平行に延在する少なくとも１つの本体（１３）と、接触領域が本体（１３）の平面から突出しかつこの本体（１３）に連結されている多数の接触薄片（Ｋ1 ，Ｋ2 ）とを有するこのコネクタ収容部材（２）内に配置された接触積層差込部材（９）を備えた、大電流用途用の電気ソケット接触部材は、接触薄片（Ｋ1 ，Ｋ2 ）が片側で接触積層差込部材（９）の本体（１３）に連結されていてそれらの自由端部の領域内でそれらの接触領域を有する突起部材として形成されていることによって特定されている。
2007531224.tif 000002
【特許請求の範囲】
【請求項１】
コネクタ収容部材（２）の互いに向き合っている２つの側面部分（４，４′）を有するケージ状に形成されたこのコネクタ収容部材（２）を備え、並びに１つの側面部分（４，４′）に対して平行に延在する少なくとも１つの本体（１３）と、接触領域が本体（１３）の平面から突出しかつこの本体（１３）に連結されている多数の接触薄片（Ｋ1 ，Ｋ2 ）とを有するこのコネクタ収容部材（２）内に配置された接触積層差込部材（９）を備えた、大電流用途用の電気ソケット接触部材において、接触薄片（Ｋ1 ，Ｋ2 ）は、片側で接触積層差込部材（９）の本体（１３）に連結されていてそれらの自由端部の領域内でそれらの接触領域を有する突起部材として形成されていることを特徴とするソケット接触部材。
【請求項２】
接触薄片（Ｋ1 ，Ｋ2 ）は、放射状に延在して互いに配置されていることを特徴とする請求項１に記載のソケット接触部材。
【請求項３】
接触薄片（Ｋ1 ，Ｋ2 ）の接触領域が、リング構造を形成して配置されていることを特徴とする請求項１又は２に記載のソケット接触部材。
【請求項４】
接触領域はそれぞれ、接触溝を支持する接触薄片（Ｋ1 ，Ｋ2 ）の打出部（１５）であることを特徴とする請求項１〜３のいずれか１項に記載のソケット接触部材。
【請求項５】
２つの互いに対向している接触積層差込部材が、コネクタ収容部材内に配置されていることを特徴とする請求項１〜４のいずれか１項に記載のソケット接触部材。
【請求項６】
接触積層差込部材（９）は、コネクタ収容部材に対して互いに対向している接触薄片（Ｋ1 ，Ｋ2 ）を支持する２つの本体（１０，１０′）を有することを特徴とする請求項１〜４のいずれか１項に記載のソケット接触部材。
【請求項７】
中心に配置された主拘止開口部（１８，１８′）が、側面部分（４，４′）に形成されていることを特徴とする請求項１〜６のいずれか１項に記載のソケット接触部材。
【請求項８】
接触積層差込部材の接触薄片及び本体が、主拘止開口部（１８，１８′）と整合しないで配置されていることを特徴とする請求項７に記載のソケット接触部材。
【発明の詳細な説明】
【技術分野】
【０００１】
本発明は、コネクタ収容部材の互いに向き合っている２つの側面部分を有するケージ状に形成されたこのコネクタ収容部材を備え、並びに１つの側面部分に対して平行に延在する少なくとも１つの本体と、接触領域が本体の平面から突出しかつこの本体に連結されている多数の接触薄片とを有するこのコネクタ収容部材内に配置された接触積層差込部材を備えた、大電流用途用の電気ソケット接触部材に関する。
【背景技術】
【０００２】
このような電気ソケット接触部材は、米国特許第 6 692 316号明細書から公知である。コネクタ連結器を構成するこのようなソケット接触部材は、例えば車両で使用される。大連流用途用の電気コネクタ連結器は、弱電流又は電子機器の使用に対して必要になる電気コネクタ連結器より大きく考案されている。上述した明細書から公知の大電流用途用のコネクタ接触部材は、コネクタ収容部材を有する。このコネクタ収容部材は、ケージ状に形成されている。このケージは、Ｕ字形の横断面に考案されている。接触積層差込部材が、このＵ字状の収容部内に差し込まれ、ケージに電気接続、例えば溶接されている。接触積層差込部材自体が、Ｕ字形に考案されていて、互いに間隔をあけた２つの本体を有する。これらの本体はそれぞれ、多数の接触薄片を有する。これらの接触薄片の接触領域が、本体の平面から突出している。ソケット接触部材に対して補完的なソケット接触部材を収容する実際の収容部が、接触薄片間に存在する。このソケット接触部材は、ナイフ形接触部材として形成されている。接触積層差込部材は、時として積層ホルダとも呼ばれる。
【０００３】
積層ホルダは、打ち抜きによって露出された接触薄片を有する。これらの接触薄片は、それぞれの本体の上の縁部から下の縁部まで延在する。したがって本体は、接触薄片用のフレームを形成する。これらの接触薄片の両面が、このフレームに連結されている。接触薄片自体が、接触領域を形成するため打ち出されている。これらの接触領域は、本体の平面から差し込むべき接触部材に向かって配置されている。接触薄片を配置するため、これらの接触薄片が、それらの中心部分のそれらの長手延在部の軸線周りで数度だけ傾いて湾曲されている。補完的なナイフ形接触部材が、接触薄片の方向に対して平行に、したがって上から又は傾いて設置された接触積層面に向いている側面から積層ホルダ内に差し込まれ得る。電気ソケット接触部材が、接触積層差込部材の予定される使用に応じて上から及び右側から又は上から及び左側から接触され得るように、接触積層差込部材が、コネクタ収容部材内で２つの異なる方向に差し込まれ得る。ソケット接触部材が、１つの要素及び複数の同じ要素によって異なる方向から接触可能に取り付けられ得ることが、このソケット接触部材の場合に好ましい。
【０００４】
Ｕ字形のコネクタ収容部は、Ｕ字形の縁部の領域内に形成された部分を有する。この部分は、ソケット接触部材を収容するためにハウジングに敷設されたボルト又はピンに嵌合するために使用される。ソケット接触部材を付随するチップジャック・ハウジング内に取り付ける場合、それ故に両要素が位置を正しくして互いに差し込まれることを考慮する必要がある。この理由から、ソケット接触部材の接触部分が、コネクタ収容部材のこの側面から収容され得ない。
【特許文献１】米国特許第 6 692 316号明細書
【発明の開示】
【発明が解決しようとする課題】
【０００５】
本発明の課題は、この説明した従来の技術から出発して、冒頭で述べた電気ソケット接触部材がこのソケット接触部材の接触積層差込部材の構造に関係なく基本的に異なる方向から接触可能であるように、この電気ソケット接触部材を改良することにある。
【課題を解決するための手段】
【０００６】
この課題は、本発明により、冒頭で述べた種類の電気ソケット接触部材によって解決される。この電気ソケット接触部材の場合、接触薄片が、片側で接触積層差込部材の本体に連結されていてそれらの自由端部の領域内でそれらの接触領域を有する突起部材として形成されている。
【０００７】
このソケット接触部材の場合、接触薄片の片側だけが、その本体に連結されている。したがって接触薄片は、突起部材を形成する。これらの突起部材は、本体から離れてこの本体に対するそれらの連結部分の領域から延在している。これらの接触薄片の接触領域が、特に突起部材の自由端部の領域内に存在する。このように形成された接触薄片を有する接触積層差込部材は、簡単に製造できるだけではなくて、特に非常に正確に規定した接触領域を形成することができる。接触薄片の片側だけがそれらの本体に結合していることは、これらの接触薄片がそれらの長手延在部分に対して異なる方向に向いて延在できることを可能にする。例えば接触薄片が、放射状に延在して互いに配置され得る。この理由から、予め決めた特定の差込み方向が設定されていることなしに、接触積層差込部材が考案され得る。つまり、補完的なナイフ形接触部材が、どの方向から接触積層差込部材に差し込まれるかに関係なく、このナイフ形接触部材が、このような接触積層差込部材を通じて規定どおりに接触され得る。接触積層差込部材は、ケージとして形成されたコネクタ収容部材内に存在するので、差込み方向が、ケージの可能なコネクタ収容部材によって最終的に設定されている。どんな場合でも、コネクタ収容部材が、３つの差込み開口部を有するように、このコネクタ収容部材が考案されている。
【０００８】
接触薄片は、それらの本体から離れて延在している突起部材として形成されている。それ故に、接触薄片の自由端部が、接触領域を形成するため及び当接面を形成するため容易に形成され得る。同じ差込み状況を補完的なナイフ形接触部材の差込み方向に関係なく保持するため、接触薄片の接触領域が、円構造を構成して配置することが好ましい。接触薄片がそれぞれ、異なる長さを有する場合、接触領域が、同心に敷設して配置されたリング構造、例えば２つのリング構造を形成するように、これらの接触領域を配置することが好ましい。
【０００９】
接触薄片の端部が本体に連結されていることは、接触積層差込部材の中央領域を確保する可能性を提供する。コネクタ収容部材の主拘止開口部が、このような構造で各側面内に存在する場合、この主拘止開口部の下に存在する接触薄片を破損することなしに又は規定どおりの差込みを妨害することなしに、メインロックに対して提供されているロックピンが、より大きい許容誤差で主拘止開口部内に嵌合できる。
【発明を実施するための最良の形態】
【００１０】
電気ソケット接触部材１は、コネクタ収容部材２を有する。圧着延長部３が、コネクタ収容部材２の後面に形成されている。ソケット接触部材１は、圧着延長部３を介して電気導体、例えばケーブルに接続され得る。コネクタ収容部材２は、２つの側面部分４，４′を有する。側面部分４，４′は、収容部５を包囲する。側面部分４，４′は、ウェブ６，６′によって互いに連結されている。側面部分４，４′を互いに特定に配置するため、支持ウェブ７が、ウェブ６，６′に対向している側面部分４′の縁部分に沿って配置されている。側面部分４の自由縁部が、これらの支持ウェブ７の上側に載置されている。コネクタ収容部材２と圧着延長部３とから構成されたソケット接触部材の本体は、板材から製造されていて、打ち抜き後に図１中に示された本体の形に傾げられた。コネクタ収容部材２を形成するための傾げ軸線が、ストリップに予め形成された曲げ溝によって特定されている。図１中には、曲げ溝が符号８で示されている。曲げ溝８は、側面部分４，４′内でガイド溝に沿って続いている。
【００１１】
ソケット接触部材１は、接触積層差込部材９をさらに有する。示された実施の形態の場合、この接触積層差込部材９は、互いに連結されている２つの接触薄片体１０，１０′を有する。これらの接触薄片体１０，１０′は互いに並列に配置されている。接触積層差込部材９は、同様にストリップから製造されている。接触薄片体１０，１０′の縁部が、平面から外側に向かって傾げられている。前方の縁部１１は、コネクタ収容部材２の前面に連動して接触積層差込部材９をコネクタ収容部材２の収容部５内に差し込んでこの差し込みの深さを制限するストッパとして使用される一方で、その他の縁部１２は、曲げ溝８つまり側面部分４，４′に形成されたガイド溝に係合するために考案されている。したがって縁部１２は、接触積層差込部材９を収容部５内で固定するために使用される。縁部１１，１２は、図２の断面図で同様に明らかである。
【００１２】
以下に、接触薄片体１０を詳しく説明する。接触薄片体１０′は、接触薄片体１０に合わせて構成されている。接触薄片体１０は、多数の接触薄片Ｋ1 ，Ｋ2 を有する。２つの相違する長さが、接触薄片体１０の接触薄片Ｋ1 ，Ｋ2 に対して設けられている。この場合、接触薄片Ｋ1 は、接触薄片Ｋ2 より長い延在部分を有する。接触薄片Ｋ1 ，Ｋ2 は、接触薄片体１０に属する本体１３の延長として考案されていて、これらの接触薄片Ｋ1 ，Ｋ2 の一方の端部が本体１３に接合されている。これらの接触薄片Ｋ1 ，Ｋ2 は、互いに放射状に延在しかつ交互に配置されている。これらの接触薄片Ｋ1 ，Ｋ2 は、前述した配置で本体１３に形成された薄片空間１４に向かって突出している。示された実施の形態の場合、薄片空間１４は、円形であって希望する構造に応じて別の幾何構造を有してもよい。接触薄片Ｋ1 ，Ｋ2 は、それらの自由端部の領域内に接触領域を１つずつ形成するためビード状の打出部１５を有する（図２参照）。さらに接触溝が、打出部１５に形成されている。打出部１５及び接触溝は、他方の接触薄片体１０′に向いている。接触薄片Ｋ1 ，Ｋ2 の自由端部が、支持縁部１６として構成されている。この支持縁部１６は、−図２中で分かるように−収容部５と同一平面のそれぞれの接触薄片体１０又は１０′の壁面１７から僅かに間隔をあけている。これによって、接触積層差込部材９が、コネクタ収容部材２の収容部５内に容易に差し込まれ得ることが保証されている。
【００１３】
接触積層差込部材９は、−図１中で分かるように−Ｕ字形に形成されている。この場合、両接触薄片体１０又は１０′を連結している湾曲部が、圧着延長部３の方向を示す。こうしてコネクタ収容部材２の収容部５内に差し込まれた接触積層差込部材９が、図３中に示されている。接触積層差込部材９及びコネクタ収容部材２に基づいて、ナイフ形接触部材Ｍが、３つの異なる方向からソケット接触部材１に接触できる。このことは、接触積層差込部材９を特定の方向で収容部５内に差し込む必要なしに可能である。両接触薄片体１０又は１０′の連結端部が、連結金具によって互いに連結されている場合、接触積層差込部材は、基本的に４つの方向から接触され得る。
【００１４】
ナイフ形接触部材Ｍが、ソケット接触部材１に接触する場合、ナイフ形接触部材Ｍの前面が、接触薄片Ｋ1 ，Ｋ2 の支持縁部１６及び接触溝に連動してそれらの規定どおりの接触位置に移動する。本体の領域内の案内溝が、差込み時のナイフ形接触部材の誘導をさらにアシストする。この場合、接触薄片Ｋ1 ，Ｋ2 の支持縁部１６が、ナイフ形接触部材Ｍを通じて側面部分４，４′の内面に密接するように、ナイフ形接触部材Ｍの厚さを決定することが好ましい。個々の接触薄片Ｋ1 ，Ｋ2 の接触領域がそれぞれ、側面部分４又は４′の内面で支持する短い延長部分を有する接触パッドを形成する。その結果、ナイフ形接触部材Ｍの外面が、対応する強い接触力で接触できる。これに関する説明は、図４に示されている。ナイフ形接触部材Ｍが、多数の接触領域によって接触されることが、ナイフ形接触部材Ｍの接触の説明から明らかになる。
【００１５】
コネクタ収容部材２の側面部分４又は４′がそれぞれ、主拘止開口部１８又は１８′を有する。この主拘止開口部１８又は１８′は、各側面部分４又は４′の中心に形成されている。この主拘止開口部１８又は１８′は、ハウジング内に差し込まれたソケット接触部材１をメインロックするために使用される。この場合、１本の拘止ピンだけが、ソケット接触部材１をハウジング内に拘止するため主拘止開口部１８又は１８′内に嵌合することが基本的に提唱されている。主拘止開口部１８又は１８′の対称な配置は、ソケット接触部材１がその方向を考慮する必要なしにチップジャック・ハウジング内に差し込まれ得る目的で使用される。傾いて敷設されているソケット接触部材１を正しい位置にするため、接続ケーブルの回転が、図中に示されている実施の形態では最大で90°に達する。このことは、接続されている大電流ケーブルでも容易に可能である。
【図面の簡単な説明】
【００１６】
【図１】接触積層差込部材を伴う展開して示したソケット接触部材の投影外略図である。
【図２】図１の接触積層差込部材の線Ａ−Ｂに沿った断面図である。
【図３】図１のソケット接触部材及び補完的なナイフ形接触部材が異なる方向からソケット接触部材に接触するために差し込めできることを示すこれらの個々の補完的なナイフ形接触部材を示す。
【図４】図１のソケット接触部材に接触するためにこのソケット接触部材内に差し込まれたナイフ形接触部材を図１の線Ｃ−Ｄに沿った横断面図で示す。
【符号の説明】
【００１７】
１  ソケット接触部材
２  コネクタ収容部材
３  圧着延長部
４，４′  側面部分
５  収容部
６，６′  ウェブ
７  支持ウェブ
８  曲げ溝
９  接触積層差込部材
１０，１０′  接触薄片体
１１  縁部
１２  縁部
１３  本体
１４  薄片空間
１５  打出部
１６  支持縁部
１７  壁面
１８，１８′  主拘止開口部
Ｋ1 ，Ｋ2   接触薄片
Ｍ  ナイフ形接触部材
【図１】
2007531224.tif 000003
【図２】
2007531224.tif 000004
【図３】
2007531224.tif 000005
【図４】
2007531224.tif 000006
【国際調査報告】
2007531224.tif 000007
2007531224.tif 000008
2007531224.tif 000009
2007531224.tif 000010
2007531224.tif 000011
2007531224.tif 000012